(57)【要約】【課題】複数業種の競技に対する投票を効率良く制御する。【解決手段】記憶部２１１は、発売所の入出金装置から入金される入金金額と、複数の競技それぞれの投票券の購入金額と、的中した投票券の払戻金額と、入出金装置から出金される出金金額とに基づいて更新される口座残高を、投票者の個人識別情報に対応付けて記憶する。第１通信部２１２は、携帯端末装置から、個人識別情報、競技識別情報、投票の賭け式、及び投票券の購入金額を含む、第１投票情報を受信する。特定部２１４は、第１投票情報に含まれる競技識別情報に基づいて投票対象競技を特定する。第２通信部２１３は、複数の競技それぞれの投票管理装置のうち投票対象競技の投票管理装置へ、発売所識別情報、第１投票情報に含まれる賭け式及び購入金額を含む、第２投票情報を送信する。更新部２１５は、第１投票情報に含まれる購入金額を口座残高から減算することで、口座残高を更新する。【選択図】図２
2020035211.tif 000002
【特許請求の範囲】
【請求項１】
競技に対する投票券を発売する発売所の入出金装置から入金される入金金額と、複数の競技それぞれに対する投票券の購入金額と、前記複数の競技それぞれに対する的中した投票券の払戻金額と、前記入出金装置から出金される出金金額とに基づいて更新される口座残高を、投票者を示す個人識別情報に対応付けて記憶する記憶部と、
携帯端末装置から、前記個人識別情報と、前記複数の競技のうち投票対象競技を示す競技識別情報と、前記投票対象競技に対する投票の賭け式と、前記投票対象競技に対する投票券の購入金額とを含む、第１投票情報を受信する第１通信部と、
前記第１投票情報に含まれる競技識別情報に基づいて、投票対象競技を特定する特定部と、
前記複数の競技それぞれの投票管理装置のうち、前記特定部によって特定された投票対象競技の投票管理装置へ、前記発売所を示す発売所識別情報と、前記第１投票情報に含まれる賭け式と、前記第１投票情報に含まれる購入金額とを含む、第２投票情報を送信する第２通信部と、
前記第１投票情報に含まれる購入金額を前記口座残高から減算することで、前記口座残高を更新する更新部と、
を備えることを特徴とする投票制御装置。
【請求項２】
前記第２通信部は、前記特定部によって特定された投票管理装置から、前記投票対象競技の結果を示す競技結果情報を受信し、前記更新部は、前記第１投票情報に含まれる賭け式が前記投票対象競技の結果に的中している場合、前記第１投票情報が示す投票券の払戻金額を計算し、計算した払戻金額を前記口座残高に加算することで、前記口座残高を更新することを特徴とする請求項１記載の投票制御装置。
【請求項３】
前記発売所は、前記複数の競技のうちいずれかの競技が行われる競技場の場内又は場外に設けられ、前記入出金装置は、前記発売所に設置されることを特徴とする請求項１又は２記載の投票制御装置。
【請求項４】
投票制御装置と、競技に対する投票券を発売する発売所の入出金装置とを備える投票制御システムであって、
前記投票制御装置は、
前記入出金装置から入金される入金金額と、複数の競技それぞれに対する投票券の購入金額と、前記複数の競技それぞれに対する的中した投票券の払戻金額と、前記入出金装置から出金される出金金額とに基づいて更新される口座残高を、投票者を示す個人識別情報に対応付けて記憶する記憶部と、
携帯端末装置から、前記個人識別情報と、前記複数の競技のうち投票対象競技を示す競技識別情報と、前記投票対象競技に対する投票の賭け式と、前記投票対象競技に対する投票券の購入金額とを含む、第１投票情報を受信する第１通信部と、
前記第１投票情報に含まれる競技識別情報に基づいて、投票対象競技を特定する特定部と、
前記複数の競技それぞれの投票管理装置のうち、前記特定部によって特定された投票対象競技の投票管理装置へ、前記発売所を示す発売所識別情報と、前記第１投票情報に含まれる賭け式と、前記第１投票情報に含まれる購入金額とを含む、第２投票情報を送信する第２通信部と、
前記第１投票情報に含まれる購入金額を前記口座残高から減算することで、前記口座残高を更新する更新部と、
を含むことを特徴とする投票制御システム。
【請求項５】
コンピュータにより実行される投票制御方法であって、
前記コンピュータが、
携帯端末装置から、投票者を示す個人識別情報と、複数の競技のうち投票対象競技を示す競技識別情報と、前記投票対象競技に対する投票の賭け式と、前記投票対象競技に対する投票券の購入金額とを含む、第１投票情報を受信し、
前記第１投票情報に含まれる競技識別情報に基づいて投票対象競技を特定し、
前記複数の競技それぞれの投票管理装置のうち、特定された投票対象競技の投票管理装置へ、競技に対する投票券を発売する発売所を示す発売所識別情報と、前記第１投票情報に含まれる賭け式と、前記第１投票情報に含まれる購入金額とを含む、第２投票情報を送信し、
前記発売所の入出金装置から入金される入金金額と、前記複数の競技それぞれに対する投票券の購入金額と、前記複数の競技それぞれに対する的中した投票券の払戻金額と、前記入出金装置から出金される出金金額とに基づいて更新される、前記個人識別情報に対応付けられた口座残高から、前記第１投票情報に含まれる購入金額を減算することで、前記口座残高を更新する、
ことを特徴とする投票制御方法。
【請求項６】
携帯端末装置から、投票者を示す個人識別情報と、複数の競技のうち投票対象競技を示す競技識別情報と、前記投票対象競技に対する投票の賭け式と、前記投票対象競技に対する投票券の購入金額とを含む、第１投票情報を受信し、
前記第１投票情報に含まれる競技識別情報に基づいて投票対象競技を特定し、
前記複数の競技それぞれの投票管理装置のうち、特定された投票対象競技の投票管理装置へ、競技に対する投票券を発売する発売所を示す発売所識別情報と、前記第１投票情報に含まれる賭け式と、前記第１投票情報に含まれる購入金額とを含む、第２投票情報を送信し、
前記発売所の入出金装置から入金される入金金額と、前記複数の競技それぞれに対する投票券の購入金額と、前記複数の競技それぞれに対する的中した投票券の払戻金額と、前記入出金装置から出金される出金金額とに基づいて更新される、前記個人識別情報に対応付けられた口座残高から、前記第１投票情報に含まれる購入金額を減算することで、前記口座残高を更新する、
処理をコンピュータに実行させるための投票制御プログラム。
【発明の詳細な説明】
【技術分野】
【０００１】
本発明は、複数業種の競技に対する投票を制御する投票制御装置、投票制御システム、投票制御方法、及び投票制御プログラムに関する。
【背景技術】
【０００２】
競馬、競輪、競艇、オートレース等の公営競技が行われる競技場の場内又は場外には、各公営競技の投票券を発売する発売所が設けられる。競技場は、本場又は場と呼ばれることがある。また、場内に設けられた発売所は、場内発売所と呼ばれることがあり、場外に設けられた発売所は、場外発売所と呼ばれることがある。トータリゼータシステムは、これらの公営競技の投票券を発売し、的中した投票券の払戻しを行うシステムである。
【０００３】
図１は、トータリゼータシステムの例を示している。サーバ１０１は、競馬、競輪、競艇、オートレース等の業種のうち、１つの業種の競技Ｇ１のセンターに設けられ、競技Ｇ１に対する投票券の発売及び払戻しを管理する。投票所１０７は、競技Ｇ１の場内発売所又は場外発売所内に設けられ、投票所１０７には、投票者に投票券を販売するために、キャッシュレス端末装置１１２、自動端末装置１１３、及び有人端末装置１１４が設置されている。投票者は、投票券を購入することで、競技Ｇ１に対する投票を行うことができる。
【０００４】
キャッシュレス端末装置１１２は、投票者によって直接操作され、キャッシュレスで投票券を購入することが可能な端末装置である。自動端末装置１１３は、投票者によって直接操作され、現金で投票券を購入することが可能な端末装置である。有人端末装置１１４は、投票者の代わりに、発売所の係員によって操作される端末装置である。
【０００５】
キャッシュレス端末装置１１２、自動端末装置１１３、及び有人端末装置１１４は、ＬＡＮ（Local Area Network）１１１に接続されており、ＬＡＮ１１１は、ＷＡＮ（Wide Area Network）１０４に接続されている。各端末装置は、ＬＡＮ１１１及びＷＡＮ１０４を介して、サーバ１０１と通信する。
【０００６】
サーバ１０２は、競技Ｇ１とは異なる業種の競技Ｇ２のセンターに設けられ、競技Ｇ２に対する投票券の発売及び払戻しを管理する。投票所１０８は、競技Ｇ２の場内発売所又は場外発売所内に設けられ、投票所１０８には、キャッシュレス端末装置１２２、自動端末装置１２３、及び有人端末装置１２４が設置されている。
【０００７】
キャッシュレス端末装置１２２、自動端末装置１２３、及び有人端末装置１２４は、ＬＡＮ１２１に接続されており、ＬＡＮ１２１は、ＷＡＮ１０５に接続されている。各端末装置は、ＬＡＮ１２１及びＷＡＮ１０５を介して、サーバ１０２と通信する。
【０００８】
投票所１０７及び投票所１０８は、同じ場外発売所内の異なるエリアにそれぞれ設けられることもある。この場合、１箇所の場外発売所において、異なる業種の競技に対する投票券を販売することができる。
【０００９】
サーバ１０３は、インターネット上に設けられた投票券販売サイトのサーバであり、複数業種の競技に対する投票券の発売及び払戻しを管理する。投票者は、スマートフォン、タブレット等の携帯端末装置１３１を用いて、ＷＡＮ１０６を介してサーバ１０３と通信することで、所望の競技の投票券を購入することができる。
【００１０】
公営競技に対する投票券の発売及び払戻しに関して、異業種公営競技に使用する異業種公営競技相互端末利用システムのマルチ投票端末が知られている（例えば、特許文献１を参照）。カードを使用したキャッシュレスでの投票が行われるキャッシュレス投票装置も知られている（例えば、特許文献２を参照）。
【先行技術文献】
【特許文献】
【００１１】
【特許文献１】特開２００６−９９５２０号公報
【特許文献２】特開２００５−９２３５０号公報
【発明の概要】
【発明が解決しようとする課題】
【００１２】
上述した従来のトータリゼータシステムには、次のような問題がある。
投票所の各端末装置は、各センターによって規定されている通信インタフェースの仕様に従って、そのセンターのサーバに接続し、サーバと通信する。この仕様では、投票券の発売及び払戻しのタイミング等が規定されており、堅牢な通信インタフェースが構築されている。このため、各端末装置は、特定の競技のサーバのみに接続できる専用端末装置として運用されており、発売所の運営者及び端末装置には、以下のような制約が課される。
【００１３】
（ａ）運営者は、センターのサーバに接続する端末装置のＩＰ（Internet Protocol）アドレス、ポート番号、運用形式等の端末情報を、サーバに対して事前に登録する。
（ｂ）端末装置は、サーバと端末装置の間の通信に対する通番管理を行う。
（ｃ）端末装置は、センターによって規定された通信方式により、サーバと通信する。通信方式としては、ＴＣＰ（Transmission Control Protocol）、ＵＤＰ（User Datagram Protocol）、ＨＴＴＰ（Hypertext Transfer Protocol）等が用いられる。
（ｄ）端末装置は、センターによって規定された通信フローに準拠して、サーバと通信する。
（ｅ）端末装置は、キャッシュレスで投票券を購入するキャッシュレス会員を、センターに対して登録する。
（ｆ）端末装置は、サーバに対して会員登録を行う。
（ｇ）端末装置は、サーバに対して入金する処理を行う。
（ｈ）端末装置は、サーバから出金する処理を行う。
【００１４】
このような端末装置の運用方法によれば、複数のセンターそれぞれのサーバに対して端末装置が設置されるため、運用コストが増加する。複数業種の競技に対する投票を行う投票者にとっては、発売所間又は投票所間を移動する手間が発生する。
【００１５】
また、公営競技の愛好者（ファン）の中には、場内発売所又は場外発売所において競技を観戦しながら、自身の携帯端末装置を用いて投票券を購入したい投票者も多い。この場合、投票者は、発売所に遊びに来ているにも関わらず、携帯端末装置からインターネット上の投票券販売サイトにアクセスして投票券を購入するため、購入金額が発売所の売上げに加算されない。さらに、投票券販売サイトにおける投票券の購入金額は、事前に登録された決済口座から引き落とされるため、投票者が現金で購入金額を支払うことは困難である。
【００１６】
１つの側面において、本発明は、複数業種の競技に対する投票を効率良く制御することを目的とする。
【課題を解決するための手段】
【００１７】
第１の側面において、投票制御装置は、記憶部、第１通信部、第２通信部、特定部、及び更新部を含む。
【００１８】
記憶部は、入金金額、購入金額、払戻金額、及び出金金額に基づいて更新される口座残高を、投票者を示す個人識別情報に対応付けて記憶する。入金金額は、競技に対する投票券を発売する発売所の入出金装置から入金される入金金額であり、購入金額は、複数の競技それぞれに対する投票券の購入金額である。払戻金額は、複数の競技それぞれに対する的中した投票券の払戻金額であり、出金金額は、入出金装置から出金される出金金額である。
【００１９】
第１通信部は、携帯端末装置から、個人識別情報と、複数の競技のうち投票対象競技を示す競技識別情報と、投票対象競技に対する投票の賭け式と、投票対象競技に対する投票券の購入金額とを含む、第１投票情報を受信する。特定部は、第１投票情報に含まれる競技識別情報に基づいて、投票対象競技を特定する。
【００２０】
第２通信部は、複数の競技それぞれの投票管理装置のうち、特定部によって特定された投票対象競技の投票管理装置へ、発売所を示す発売所識別情報と、第１投票情報に含まれる賭け式と、第１投票情報に含まれる購入金額とを含む、第２投票情報を送信する。更新部は、第１投票情報に含まれる購入金額を口座残高から減算することで、口座残高を更新する。
【００２１】
第２の側面において、投票制御システムは、投票制御装置と、競技に対する投票券を発売する発売所の入出金装置とを備える。投票制御装置は、記憶部、第１通信部、第２通信部、特定部、及び更新部を含む。
【００２２】
記憶部は、入金金額、購入金額、払戻金額、及び出金金額に基づいて更新される口座残高を、投票者を示す個人識別情報に対応付けて記憶する。入金金額は、発売所の入出金装置から入金される入金金額であり、購入金額は、複数の競技それぞれに対する投票券の購入金額である。払戻金額は、複数の競技それぞれに対する的中した投票券の払戻金額であり、出金金額は、入出金装置から出金される出金金額である。
【００２３】
第１通信部は、携帯端末装置から、個人識別情報と、複数の競技のうち投票対象競技を示す競技識別情報と、投票対象競技に対する投票の賭け式と、投票対象競技に対する投票券の購入金額とを含む、第１投票情報を受信する。特定部は、第１投票情報に含まれる競技識別情報に基づいて、投票対象競技を特定する。
【００２４】
第２通信部は、複数の競技それぞれの投票管理装置のうち、特定部によって特定された投票対象競技の投票管理装置へ、発売所を示す発売所識別情報と、第１投票情報に含まれる賭け式と、第１投票情報に含まれる購入金額とを含む、第２投票情報を送信する。更新部は、第１投票情報に含まれる購入金額を口座残高から減算することで、口座残高を更新する。
【００２５】
第３の側面において、投票制御方法を実行するコンピュータは、以下の（１）〜（４）の処理を行う。
【００２６】
（１）コンピュータは、携帯端末装置から第１投票情報を受信する。第１投票情報は、投票者を示す個人識別情報と、複数の競技のうち投票対象競技を示す競技識別情報と、投票対象競技に対する投票の賭け式と、投票対象競技に対する投票券の購入金額とを含む。
（２）コンピュータは、第１投票情報に含まれる競技識別情報に基づいて投票対象競技を特定する。
（３）コンピュータは、複数の競技それぞれの投票管理装置のうち、特定された投票対象競技の投票管理装置へ、第２投票情報を送信する。第２投票情報は、競技に対する投票券を発売する発売所を示す発売所識別情報と、第１投票情報に含まれる賭け式と、第１投票情報に含まれる購入金額とを含む。
（４）コンピュータは、入金金額、購入金額、払戻金額、及び出金金額に基づいて更新される、個人識別情報に対応付けられた口座残高から、第１投票情報に含まれる購入金額を減算することで、口座残高を更新する。入金金額は、発売所の入出金装置から入金される入金金額であり、購入金額は、複数の競技それぞれに対する投票券の購入金額である。払戻金額は、複数の競技それぞれに対する的中した投票券の払戻金額であり、出金金額は、入出金装置から出金される出金金額である。
【００２７】
第４の側面において、投票制御プログラムは、上記（１）〜（４）の処理をコンピュータに実行させる。
【発明の効果】
【００２８】
実施形態によれば、複数業種の競技に対する投票を効率良く制御することができる。
【図面の簡単な説明】
【００２９】
【図１】トータリゼータシステムを示す図である。
【図２】投票制御装置の機能的構成図である。
【図３】投票制御処理のフローチャートである。
【図４】投票制御システムの構成図である。
【図５】投票制御装置の具体例を示す機能的構成図である。
【図６】会員情報を示す図である。
【図７】口座情報を示す図である。
【図８】集計表を示す図である。
【図９】投票選択画面を示す図である。
【図１０】競馬の投票の選択画面を示す図である。
【図１１】当回発売レースの投票の選択画面を示す図である。
【図１２】メインレースの投票の選択画面を示す図である。
【図１３】賭け式コードを示す図である。
【図１４】競馬の投票情報を示す図である。
【図１５】競輪の投票情報を示す図である。
【図１６】投票制御処理の具体例を示すフローチャートである。
【図１７】口座開設処理のフローチャートである。
【図１８】口座入金処理のフローチャートである。
【図１９】投票処理のフローチャートである。
【図２０】的中処理のフローチャートである。
【図２１】清算処理のフローチャートである。
【図２２】口座終了処理のフローチャートである。
【図２３】情報処理装置の構成図である。
【発明を実施するための形態】
【００３０】
以下、図面を参照しながら、実施形態を詳細に説明する。
図２は、実施形態の投票制御装置の機能的構成例を示している。図２の投票制御装置２０１は、記憶部２１１、第１通信部２１２、第２通信部２１３、特定部２１４、及び更新部２１５を含む。
【００３１】
記憶部２１１は、入金金額、購入金額、払戻金額、及び出金金額に基づいて更新される口座残高を、投票者を示す個人識別情報に対応付けて記憶する。入金金額は、競技に対する投票券を発売する発売所の入出金装置から入金される入金金額であり、購入金額は、複数の競技それぞれに対する投票券の購入金額である。払戻金額は、複数の競技それぞれに対する的中した投票券の払戻金額であり、出金金額は、入出金装置から出金される出金金額である。
【００３２】
図３は、図２の投票制御装置２０１が行う投票制御処理の例を示すフローチャートである。まず、第１通信部２１２は、携帯端末装置から、個人識別情報と、複数の競技のうち投票対象競技を示す競技識別情報と、投票対象競技に対する投票の賭け式と、投票対象競技に対する投票券の購入金額とを含む、第１投票情報を受信する（ステップ３０１）。
【００３３】
次に、特定部２１４は、第１投票情報に含まれる競技識別情報に基づいて、投票対象競技を特定する（ステップ３０２）。
【００３４】
次に、第２通信部２１３は、複数の競技それぞれの投票管理装置のうち、特定部２１４によって特定された投票対象競技の投票管理装置へ、第２投票情報を送信する（ステップ３０３）。第２投票情報は、発売所を示す発売所識別情報と、第１投票情報に含まれる賭け式と、第１投票情報に含まれる購入金額とを含む。
【００３５】
そして、更新部２１５は、第１投票情報に含まれる購入金額を口座残高から減算することで、口座残高を更新する（ステップ３０４）。
【００３６】
図２の投票制御装置２０１によれば、複数業種の競技に対する投票を効率良く制御することができる。
【００３７】
図４は、図２の投票制御装置２０１を含む投票制御システムの構成例を示している。図４の投票制御システムは、投票端末装置４１２、投票制御装置４１３、及び入出金装置４１４を含み、例えば、場内発売所又は場外発売所に設置される。投票端末装置４１２、投票制御装置４１３、及び入出金装置４１４は、ＬＡＮ４１１によって互いに接続されている。投票端末装置４１２は、例えば、キャッシュレス端末装置、自動端末装置、又は有人端末装置である。ＬＡＮ４１１には、複数の投票端末装置４１２が接続されていてもよい。投票制御装置４１３は、図２の投票制御装置２０１の具体例に対応する。
【００３８】
投票管理装置４０１及び投票管理装置４０２は、競馬、競輪、競艇、又はオートレースのうち、いずれかの競技のセンターに設けられたサーバであり、その競技に対する投票券の発売及び払戻しを管理する。投票管理装置４０１及び投票管理装置４０２は、それぞれ異なる業種の競技に対する投票を管理する。
【００３９】
ＬＡＮ４１１は、ＷＡＮ４０３及びＷＡＮ４０４に接続されている。投票端末装置４１２は、ＷＡＮ４０３又はＷＡＮ４０４を介して、投票管理装置４０１又は投票管理装置４０２と通信する。ＬＡＮ４１１には、ＷＡＮを介して３台以上の投票管理装置が接続されていてもよい。
【００４０】
投票制御装置４１３は、ＷＡＮ４０３及びＷＡＮ４０４を介して、投票管理装置４０１及び投票管理装置４０２それぞれと通信する。また、投票制御装置４１３は、無線通信により、Ｎ人（Ｎは１以上の整数）の投票者それぞれの携帯端末装置４２１−１〜携帯端末装置４２１−Ｎと通信する。携帯端末装置４２１−ｉ（ｉ＝１〜Ｎ）は、例えば、スマートフォン又はタブレットである。
【００４１】
入出金装置４１４は、投票者によって現金が投入される投入口と現金を排出する排出口とを有する。投入口を排出口として兼用することも可能である。自動端末装置を入出金装置４１４として用いてもよい。
【００４２】
図５は、図４の投票制御装置４１３の機能的構成例を示している。図５の投票制御装置４１３は、記憶部５１１、通信部５１２、通信制御部５１３、会員管理部５１４、口座管理部５１５、端末管理部５１６、及び通信部５１７を含む。
【００４３】
記憶部５１１、通信部５１２、及び通信部５１７は、図２の記憶部２１１、第２通信部２１３、及び第１通信部２１２にそれぞれ対応する。通信制御部５１３及び口座管理部５１５は、特定部２１４及び更新部２１５にそれぞれ対応する。
【００４４】
記憶部５１１は、会員情報５２１、口座情報５２２、及び運用情報５２３を記憶する。会員情報５２１は、投票制御装置４１３に会員として登録された投票者を管理するための情報であり、口座情報５２２は、各会員の口座を管理するための情報である。
【００４５】
運用情報５２３は、各競技のレースに関する情報である。運用情報５２３は、例えば、終了したレース及び開催予定のレース各々の開催日、場名、レース番号、オッズ、及び人気順位を含む。さらに、運用情報５２３は、過去のレースの結果を示す競技結果情報も含む。
【００４６】
通信部５１２は、ＬＡＮ４１１を介して、投票管理装置４０１及び投票管理装置４０２それぞれと通信するとともに、入出金装置４１４とも通信する。通信部５１７は、無線通信により、携帯端末装置４２１−１〜携帯端末装置４２１−Ｎと通信する。
【００４７】
通信制御部５１３は、投票管理装置４０１又は投票管理装置４０２が属するセンターの通信インタフェースの仕様に合わせて、通信部５１２による通信の通信方式を変換する。また、通信制御部５１３は、事前に各センターに登録されたＩＰアドレス、ポート番号、運用形式等の端末情報を管理するとともに、通信部５１２による通信の通番管理を行う。
【００４８】
会員管理部５１４は、会員情報５２１を更新することで、投票制御装置４１３に登録された会員を管理する。口座管理部５１５は、口座情報５２２を更新することで、各会員の口座及び取引履歴を管理する。端末管理部５１６は、運用情報５２３を更新することで、各レースの進行情報を管理し、最新のレース情報を携帯端末装置４２１−ｉに通知する。
【００４９】
図６は、会員情報５２１の例を示している。図６の会員情報５２１は、項番、会員番号、氏名、生年月日、住所、電話番号、ｅ−ｍａｉｌアドレス、登録日、利用日、口座番号、未清算フラグ、及び未清算額を含む。
【００５０】
項番は、会員情報５２１のエントリの識別情報であり、会員番号は、会員を示す個人識別情報である。氏名、生年月日、住所、電話番号、及びｅ−ｍａｉｌアドレスは、会員の個人情報を表し、登録日は、投票者が投票制御装置４１３に会員として登録された日付を表し、利用日は、会員が投票制御装置４１３を最後に利用した日付を表す。図６の例では、住所、電話番号、及びｅ−ｍａｉｌアドレスのデータは省略されている。
【００５１】
口座番号は、投票制御装置４１３に開設された会員の口座を示す口座識別情報である。会員が口座を開設する度に、会員情報５２１に新たな口座番号が記録され、会員が口座を終了すると、記録されている口座番号が削除される。
【００５２】
未清算フラグは、未清算の口座残高が存在するか否かを示すフラグであり、未清算額は、未清算の口座残高を表す。未清算フラグ“○”は、未清算の口座残高が存在することを示している。例えば、項番“３”の“会員  三郎”の口座には、３５０円の未清算金が残されている。
【００５３】
会員情報５２１には、会員のパスワード、生体情報等の認証情報が登録されていてもよい。
【００５４】
図７は、口座情報５２２の例を示している。図７の口座情報５２２は、会員番号、氏名、利用日、時刻、取引履歴、口座番号、取引通番、入金金額、出金金額、口座残高、場名、レース番号、賭け式種別、賭け目、及び金額を含む。利用日から金額までの各項目のデータは、会員番号及び氏名に対応付けて記憶される。
【００５５】
利用日は、会員又は投票制御装置４１３によって、口座に対する取引が行われた日付を表し、時刻は、取引が行われた時刻を表し、取引履歴は、取引の種別を表す。口座開設は、口座の開設を表し、入金は、入出金装置４１４に対する現金の入金を表し、投票は、投票券の購入を表し、払戻（的中）は、的中した投票券の払戻しを表す。清算は、入出金装置４１４からの現金の出金を表し、口座終了は、口座の閉鎖を表す。
【００５６】
口座番号は、取引が行われた口座を表し、取引通番は、取引の通番を表し、入金金額は、口座に入金された金額を表し、出金金額は、口座から出金された金額を表し、口座残高は、取引後に口座に残された金額を表す。
【００５７】
場名は、投票対象競技が行われた競技場の名称を表し、レース番号は、投票対象競技のレース番号を表す。賭け式種別は、会員が指定した賭け式の種別を表し、賭け目は、会員が指定した賭け式に含まれる賭け目を表し、金額は、賭け金の金額又は的中した場合の払戻金額を表す。口座残高の更新において、賭け金の金額は、投票券の購入金額（出金金額）として扱われ、払戻金額は、入金金額として扱われる。
【００５８】
図７の例では、“会員  一郎”が２０１８年５月５日１０時３０分に開設した口座の口座番号は、“２０１８０５０５００１２３”であり、その口座は、同日１３時１０分に閉鎖されている。そして、２０１８年５月８日１０時３０分に“会員  一郎”が新たな口座を開設し、口座番号“２０１８０５０８０００６２”が付与されている。なお、口座開設時の口座番号の発行は、例えば、２０１８年５月５日に開設した場合は、２０１８０５０５（８桁）＋追番号（５桁）とするようにしてもよい。
【００５９】
口座管理部５１５は、このような口座情報５２２を会員毎に記録し、投票制御装置４１３に開設されたすべての口座の口座情報５２２を集計することで、所定期間における投票制御装置４１３の売上高を計算することができる。
【００６０】
図８は、投票制御装置４１３の１日の売上高を集計した集計表の例を示している。図８の集計表は、業種、場名、１Ｒ、２Ｒ、３Ｒ、及び合計を含む。業種は、投票制御装置４１３が販売した投票券の投票対象競技を表し、場名は、投票対象競技が行われた競技場の記号及び名称を表す。例えば、競馬の“Ａ”は、“ＡＡ競馬”という名称を有する競馬場を表す記号である。
【００６１】
１Ｒ、２Ｒ、及び３Ｒは、各レースの発売及び払戻しの金額を表し、合計は、全レースの発売及び払戻しの合計金額を表す。例えば、１Ｒの投票券の１日の売上高は、１，５００，０００円であり、全レースの投票券の１日の売上高は、２５，０００，０００円である。
【００６２】
会員登録及び口座開設を済ませた投票者によって取引が行われる際、投票制御装置４１３は、例えば、以下の手順で投票制御処理を行う。
【００６３】
（Ｐ１）通信制御部５１３は、投票管理装置４０１及び投票管理装置４０２それぞれとの通信の通番管理を開始する。
（Ｐ２）通信制御部５１３は、投票管理装置４０１及び投票管理装置４０２それぞれとの通信で使用される端末情報を、通信部５１２に設定する。
（Ｐ３）投票者が入出金装置４１４から現金を入金すると、通信部５１２は、入出金装置４１４から会員番号及び入金金額を受信する。
（Ｐ４）口座管理部５１５は、入金の取引を口座情報５２２に記録し、入金金額を口座残高に加算することで、口座残高を更新する。
（Ｐ５）通信部５１２は、投票管理装置４０１又は投票管理装置４０２から、開催予定のレースの開催日、場名、レース番号、オッズ等のレース情報を受信する。
（Ｐ６）端末管理部５１６は、受信したレース情報を運用情報５２３に記録し、通信部５１７は、そのレース情報を携帯端末装置４２１−ｉへ送信する。
（Ｐ７）携帯端末装置４２１−ｉから投票が行われると、通信部５１７は、携帯端末装置４２１−ｉから賭け金の金額を含む投票情報を受信する。
（Ｐ８）口座管理部５１５は、投票の取引を口座情報５２２に記録し、賭け金の金額を口座残高から減算することで、口座残高を更新する。
（Ｐ９）通信部５１２は、投票管理装置４０１又は投票管理装置４０２から、競技の結果（レース結果）を示す競技結果情報を受信する。
（Ｐ１０）口座管理部５１５は、口座情報５２２の場名、レース番号、賭け式種別、及び賭け目を参照して、いずれかの投票者の投票で指定された賭け式が競技の結果に的中しているか否かをチェックする。そして、口座管理部５１５は、的中した投票券の払戻金額を計算し、払戻（的中）の取引を口座情報５２２に記録し、払戻金額を口座残高に加算することで、口座残高を更新する。
（Ｐ１１）通信部５１７は、競技結果情報及び払戻金額を携帯端末装置４２１−ｉへ送信する。
（Ｐ１２）投票者が入出金装置４１４に対して口座の清算を指示すると、通信部５１２は、入出金装置４１４から会員番号を受信する。
（Ｐ１３）口座管理部５１５は、受信した会員番号に対応する口座残高を取得し、通信部５１２は、口座残高を示す出金金額を入出金装置４１４へ送信する。そして、入出金装置４１４は、出金金額の現金を排出する。
（Ｐ１４）口座管理部５１５は、清算の取引を口座情報５２２に記録し、口座残高を０に変更する。
【００６４】
このような投票制御システムによれば、投票制御装置４１３は、投票管理装置４０１及び投票管理装置４０２に対して、１台の投票端末装置として登録される。したがって、投票管理装置４０１及び投票管理装置４０２の処理を変更することなく、複数業種の投票券の発売及び払戻しを管理することができる。
【００６５】
複数の投票者それぞれの携帯端末装置４２１−ｉは、１台の投票制御装置４１３を介して投票管理装置４０１及び投票管理装置４０２に接続し、投票を行うことができる。したがって、各投票者の携帯端末装置４２１−ｉを投票に利用することが可能になり、多数の端末装置を設置する必要がなくなるため、運用コストが削減される。運用コストには、端末装置のハードウェアコスト、端末装置に補充される準備金等が含まれる。
【００６６】
発売所に設置された投票制御装置４１３によって投票券が販売されるため、携帯端末装置４２１−ｉから購入された投票券であっても、その購入金額は発売所の売上げに加算される。
【００６７】
投票者は、発売所間又は投票所間を移動することなく、複数の競技に対する投票を行うことができ、入出金装置４１４を利用して現金で購入金額を支払うことができる。また、投票者は、複数業種のセンターを区別することなく、それらの業種に対する投票券の購入金額を一括して入金することができ、投票者の利便性が向上する。
【００６８】
投票者は、投票制御装置４１３専用のアプリケーションプログラムである専用アプリケーションを携帯端末装置４２１−ｉにインストールし、その専用アプリケーションを起動することで、投票制御装置４１３のサービスを利用することができる。例えば、投票制御装置４１３のサービスは、メニュー形式で携帯端末装置４２１−ｉの画面に表示される。
【００６９】
図９は、専用アプリケーションによって表示される投票選択画面の例を示している。図９の投票選択画面は、競馬の投票、競輪の投票、ボートレースの投票（競艇の投票）、当回発売レースの投票、及びメインレースの投票を含む。
【００７０】
図１０は、図９の投票選択画面において、競馬の投票が選択された場合に表示される選択画面の例を示している。図１０（ａ）は、競馬の投票が選択された場合に表示される競馬場選択画面の例を示している。この競技場選択画面は、ＡＡ競馬場、ＡＢ競馬場、及びＡＣ競馬場を含む。
【００７１】
図１０（ｂ）は、図１０（ａ）の競技場選択画面において、ＡＡ競馬場が選択された場合に表示されるレース選択画面の例を示している。このレース選択画面は、“１”〜“１２”のレース番号を含む。
【００７２】
図１０（ｃ）は、図１０（ｂ）のレース選択画面において、レース番号“２”が選択された場合に表示される賭け式選択画面の例を示している。この賭け式選択画面は、単勝、複勝、枠連（枠番連勝）、馬連（馬番連勝）、馬単（馬番単勝）、ワイド、３連複、及び３連単を含む。
【００７３】
図１１は、図９の投票選択画面において、当回発売レースの投票が選択された場合に表示される選択画面の例を示している。図１１（ａ）は、当回発売レースの投票が選択された場合に表示されるレース選択画面の例を示している。このレース選択画面は、“ＡＡ競馬場  ２レース”、“ＡＢ競馬場  ５レース”、“ＡＣ競馬場  ４レース”、及び“ＢＡ競輪場  １レース”を含む。
【００７４】
図１１（ｂ）は、図１１（ａ）のレース選択画面において、“ＢＡ競輪場  １レース”が選択された場合に表示される賭け式選択画面の例を示している。この賭け式選択画面は、２車単、２車複、２枠単、２枠複、ワイド、３連複、及び３連単を含む。
【００７５】
図１２は、図９の投票選択画面において、メインレースの投票が選択された場合に表示される選択画面の例を示している。図１２（ａ）は、メインレースの投票が選択された場合に表示されるレース選択画面の例を示している。このレース選択画面は、“ＡＡ競馬場  １０レース”、“ＡＢ競馬場  １１レース”、及び“ＢＡ競輪場  １１レース”を含む。
【００７６】
図１２（ｂ）は、図１２（ａ）のレース選択画面において、“ＢＡ競輪場  １１レース”が選択された場合に表示される賭け式選択画面の例を示している。この賭け式選択画面は、図１１（ｂ）の賭け式選択画面と同様の選択肢を含む。
【００７７】
図１３は、投票情報において賭け式種別を記述するために用いられる賭け式コードの例を示している。賭け式コード“０１”及び賭け式コード“０２”は、競馬、競艇、及びオートレースに共通する賭け式種別を表している。これらの賭け式コードは、競輪の賭け式種別に対しては用いられない。
【００７８】
賭け式コード“０３”及び賭け式コード“０４”は、競馬及び競輪それぞれにおいて異なる賭け式種別を表している。これらの賭け式コードは、競艇及びオートレースの賭け式種別に対しては用いられない。
【００７９】
賭け式コード“０５”及び賭け式コード“０６”は、競馬、競輪、及び競艇それぞれにおいて異なる賭け式種別を表し、オートレースに対しては競艇と同じ賭け式種別を表す。賭け式コード“０７”〜賭け式コード“０９”は、すべての競技に共通する賭け式種別を表す。
【００８０】
図１４は、競馬の投票情報の例を示している。図１４（ａ）は、携帯端末装置４２１−ｉから投票制御装置４１３へ、投票情報として送信される投票電文の例を示している。図１４（ａ）の投票電文は、会員番号、通番（１）、業種、日付、場名、レース番号、賭け式コード、賭け目１〜賭け目３、金額、及び投票日時を含む。
【００８１】
会員番号によって、携帯端末装置４２１−ｉから送信される投票電文と、投票者とが関連付けられる。通番（１）は、携帯端末装置４２１−ｉから送信される投票電文の識別情報である。
【００８２】
業種は、投票対象競技を示す競技識別情報であり、投票対象競技の業種を表す。この例では、業種として競馬が指定されている。日付は、投票対象レースの開催日を表し、場名は、投票対象レースが行われる競技場を示す記号を表し、レース番号は、投票対象レースのレース番号を表す。
【００８３】
賭け式コードは、投票者が指定した賭け式種別を示す賭け式コードを表し、賭け目１〜賭け目３は、投票者が指定した賭け式に含まれる賭け目を表す。賭け目１〜賭け目３のうち、賭け式に含まれない賭け目については、“００”が入力される。金額は、投票者が指定した賭け金の金額を表し、投票日時は、携帯端末装置４２１−ｉから投票電文が送信された日時（年月日時分秒）を表す。
【００８４】
図１４（ｂ）は、投票制御装置４１３から競馬の投票管理装置へ、投票情報として送信される投票電文の例を示している。図１４（ｂ）の投票電文は、通番（２）、発売所コード、発売機コード、日付、場コード、開催節、レース番号、賭け式コード、賭け目１〜賭け目３、金額、及び投票日時を含む。
【００８５】
通番（２）は、投票制御装置４１３から送信される投票電文の識別情報である。通信制御部５１３は、図１４（ａ）の通番（１）と図１４（ｂ）の通番（２）とを対応付けて記憶部５１１に記録しておくことで、図１４（ａ）の投票電文と図１４（ｂ）の投票電文とを関連付けて管理する。
【００８６】
発売所コードは、投票制御装置４１３が設置されている発売所を示す発売所識別情報であり、発売機コードは、投票制御装置４１３を示す装置識別情報である。投票管理装置は、受信した投票電文に含まれる発売所コード及び発売機コードに基づいて、投票電文の送信元である発売所及び投票制御装置４１３を特定する。日付、レース番号、賭け式コード、賭け目１〜賭け目３、及び金額については、図１４（ａ）の投票電文に含まれる情報と同様である。
【００８７】
場コードは、図１４（ａ）の投票電文に含まれる場名を示す識別情報であり、開催節は、図１４（ａ）の投票電文に含まれる日付に対応する開催節を表す。レースの開催日は、通常の日付だけでなく、“３０年度６回１日目”のような開催節によって指定されることがある。投票日時は、投票制御装置４１３から投票電文が送信された日時（年月日時分秒）を表す。
【００８８】
図１５は、競輪の投票情報の例を示している。図１５（ａ）は、携帯端末装置４２１−ｉから投票制御装置４１３へ、投票情報として送信される投票電文の例を示している。図１５（ａ）の投票電文の形式は、図１４（ａ）の投票電文の形式と同様である。この例では、業種として競輪が指定されている。
【００８９】
図１５（ｂ）は、投票制御装置４１３から競輪の投票管理装置へ、投票情報として送信される投票電文の例を示している。図１５（ｂ）の投票電文の形式は、図１４（ｂ）の投票電文の形式と同様である。ただし、競輪の場合、レースに参加する自転車の台数が９台以下であるため、賭け目の先頭の“０”は省略される。
【００９０】
次に、図１６から図２２までを参照しながら、図４の投票制御システムにおける投票制御処理について、より詳細に説明する。
【００９１】
図１６は、図５の投票制御装置４１３が行う投票制御処理の具体例を示すフローチャートである。まず、各投票者は、携帯端末装置４２１−ｉにインストールされた専用アプリケーションを起動して、自身の個人情報を投票制御装置４１３へ送信し、会員管理部５１４は、会員情報処理を行う（ステップ１６０１）。会員情報処理において、会員管理部５１４は、各投票者に対して会員番号を付与し、付与した会員番号と携帯端末装置４２１−ｉから受信した個人情報とを対応付けて会員情報５２１に登録する。
【００９２】
次に、投票制御装置４１３は、登録された投票者それぞれに対する個別制御処理を並行して行う（ステップ１６０２−１〜ステップ１６０２−５）。ステップ１６０２−１〜ステップ１６０２−５の処理は、例えば、図６の項番“１”〜項番“５”に登録された５人の投票者に対する個別制御処理であってもよい。
【００９３】
ステップ１６０２−１の個別制御処理において、まず、投票制御装置４１３は、口座開設処理を行い（ステップ１６１１）、口座入金処理を行う（ステップ１６１２）。次に、投票制御装置４１３は、投票処理を行い（ステップ１６１３）、的中処理を行う（ステップ１６１４）。次に、投票制御装置４１３は、清算処理を行い（ステップ１６１５）、口座終了処理を行う（ステップ１６１６）。
【００９４】
投票者が入出金装置４１４から入金を行う度に、ステップ１６１２の処理が繰り返され、投票者がいずれかの競技に対する投票を行う度に、ステップ１６１３の処理が繰り返される。また、いずれかの競技のレースが終了する度に、ステップ１６１４の処理が繰り返される。ステップ１６０２−２〜ステップ１６０２−５の処理も、ステップ１６０２−１の処理と同様である。
【００９５】
次に、投票制御装置４１３は、会員情報５２１に登録されたすべての投票者の個別制御処理が終了したか否かをチェックする（ステップ１６０３）。いずれかの投票者の個別制御処理が終了していない場合（ステップ１６０３，ＮＯ）、投票制御装置４１３は、その個別制御処理が終了するまで待機する（ステップ１６０４）。そして、すべての投票者の個別制御処理が終了した場合（ステップ１６０３，ＹＥＳ）、投票制御装置４１３は、処理を終了する。
【００９６】
図１７は、図１６のステップ１６１１における口座開設処理の例を示すフローチャートである。まず、投票者は、入出金装置４１４を操作して、個人認証方法を選択する（ステップ１７０１）。例えば、個人認証方法としては、会員カード認証、生体情報認証、又は端末認証のいずれかを選択することができる。
【００９７】
会員カード認証が選択された場合、入出金装置４１４は、投票者が提示する会員カードから会員番号を読み取る（ステップ１７０２）。例えば、会員カードとしては、非接触ＩＣ（Integrated Circuit）カードが用いられる。
【００９８】
生体情報認証が選択された場合、入出金装置４１４は、投票者の生体情報を取得する（ステップ１７０３）。例えば、生体情報としては、手のひらの静脈、指紋、掌紋、虹彩等の情報が用いられる。
【００９９】
端末認証が選択された場合、入出金装置４１４は、投票者の携帯端末装置４２１−ｉから端末情報を取得する（ステップ１７０４）。例えば、端末情報としては、携帯端末装置４２１−ｉの画面に表示される会員コード、又は近距離無線通信（Near Field Communication）によって取得される会員コードが用いられる。この場合、会員コードは、投票者の会員番号を表す。
【０１００】
次に、入出金装置４１４は、投票者の認証情報を含む口座開設要求を投票制御装置４１３へ送信する。認証情報は、会員番号であってもよく、生体情報であってもよい。通信部５１２は、口座開設要求を受信し、会員管理部５１４は、口座開設要求に含まれる認証情報を、会員情報５２１に登録されている会員番号又は生体情報と比較することで、投票者に対する認証を行う。
【０１０１】
次に、会員管理部５１４は、会員情報５２１を参照して、投票者の会員番号に対応する口座が開設済みであるか否かをチェックする（ステップ１７０５）。投票者の会員番号としては、口座開設要求に含まれる会員番号、又は口座開設要求に含まれる生体情報に対応する会員番号が用いられる。会員情報５２１において、投票者の会員番号のエントリに口座番号が記録されている場合、口座が開設済みであると判定され、口座番号が記録されていない場合、口座が開設済みではないと判定される。
【０１０２】
口座が開設済みではない場合（ステップ１７０５，ＮＯ）、口座管理部５１５は、投票者に対して新たな口座番号を付与し、口座情報５２２に口座開設のエントリを生成する（ステップ１７０６）。そして、口座管理部５１５は、そのエントリの取引履歴として、口座開設を記録し、口座番号として、付与した口座番号を記録する。会員管理部５１４は、会員情報５２１において、投票者の会員番号を含むエントリに、付与された口座番号を記録する。
【０１０３】
一方、口座が開設済みである場合（ステップ１７０５，ＹＥＳ）、口座管理部５１５は、処理を終了する。
【０１０４】
図１８は、図１６のステップ１６１２における口座入金処理の例を示すフローチャートである。口座入金処理では、入出金装置４１４がステップ１８０１〜ステップ１８０８の処理を行い、投票制御装置４１３がステップ１８１１〜ステップ１８１８の処理を行う。
【０１０５】
まず、入出金装置４１４は、図１７のステップ１７０１〜ステップ１７０４と同様の個人認証処理を行い（ステップ１８０１）、投票者の認証情報を投票制御装置４１３へ送信する（ステップ１８０２）。
【０１０６】
通信部５１２は、認証情報を受信し（ステップ１８１１）、会員管理部５１４は、会員情報５２１を参照して、投票者に対する認証を行う（ステップ１８１２）。そして、会員管理部５１４は、投票者の会員番号に対応する口座が開設済みであるか否かをチェックする（ステップ１８１３）。口座が開設済みではない場合（ステップ１８１３，ＮＯ）、通信部５１２は、認証結果及び口座入金許可情報を入出金装置４１４へ送信し（ステップ１８１８）、投票制御装置４１３は、ステップ１８１１以降の処理を繰り返す。この場合、口座入金許可情報は、入金禁止を示している。
【０１０７】
一方、口座が開設済みである場合（ステップ１８１３，ＹＥＳ）、通信部５１２は、認証結果及び口座入金許可情報を入出金装置４１４へ送信する（ステップ１８１４）。この場合、口座入金許可情報は、入金許可を示している。
【０１０８】
入出金装置４１４は、認証結果及び口座入金許可情報を受信し（ステップ１８０３）、入金可能であるか否かを判定する（ステップ１８０４）。認証結果が認証成功を示しており、かつ、口座入金許可情報が入金許可を示している場合、入金可能と判定される。認証結果が認証失敗を示しているか、又は口座入金許可情報が入金禁止を示している場合、入金不可能と判定される。入金不可能である場合（ステップ１８０４，ＮＯ）、入出金装置４１４は、ステップ１８０１以降の処理を繰り返す。
【０１０９】
一方、入金可能である場合（ステップ１８０４，ＹＥＳ）、入出金装置４１４は、投入口に投入された現金の入金金額を計数し（ステップ１８０５）、入金金額を投票制御装置４１３へ送信する（ステップ１８０６）。
【０１１０】
通信部５１２は、入金金額を受信し（ステップ１８１５）、口座管理部５１５は、口座情報５２２を更新する（ステップ１８１６）。このとき、口座管理部５１５は、口座情報５２２に入金のエントリを生成し、そのエントリの取引履歴として、入金を記録し、入金金額として、受信した入金金額を記録する。そして、口座管理部５１５は、入金金額を口座残高に加算することで、口座残高を更新する。会員管理部５１４は、会員情報５２１において、投票者の会員番号を含むエントリに未清算フラグ“○”を記録し、未清算額として、更新後の口座残高を記録する。
【０１１１】
次に、通信部５１２は、口座入金処理結果を入出金装置４１４へ送信する（ステップ１８１７）。入出金装置４１４は、口座入金処理結果を受信し（ステップ１８０７）、画面上に口座入金処理結果を表示する（ステップ１８０８）。
【０１１２】
図１９は、図１６のステップ１６１３における投票処理の例を示すフローチャートである。投票処理では、投票者の携帯端末装置４２１−ｉがステップ１９０１〜ステップ１９１４の処理を行い、投票制御装置４１３がステップ１９２１〜ステップ１９３９の処理を行う。
【０１１３】
まず、携帯端末装置４２１−ｉは、認証情報を投票制御装置４１３へ送信する（ステップ１９０１）。携帯端末装置４２１−ｉから送信される認証情報としては、例えば、ユーザＩＤ及びパスワードが用いられる。ユーザＩＤは、投票者の会員番号であってもよい。
【０１１４】
通信部５１７は、認証情報を受信し（ステップ１９２１）、会員管理部５１４は、会員情報５２１を参照して、投票者に対する認証を行う（ステップ１９２２）。そして、会員管理部５１４は、投票者の会員番号に対応する口座が開設済みであるか否かをチェックする（ステップ１９２３）。口座が開設済みではない場合（ステップ１９２３，ＮＯ）、通信部５１７は、認証結果及び処理許可情報を携帯端末装置４２１−ｉへ送信し（ステップ１９３８）、投票制御装置４１３は、ステップ１９２１以降の処理を繰り返す。この場合、処理許可情報は、処理禁止を示している。
【０１１５】
一方、口座が開設済みである場合（ステップ１９２３，ＹＥＳ）、通信部５１７は、認証結果及び処理許可情報を携帯端末装置４２１−ｉへ送信する（ステップ１９２４）。この場合、処理許可情報は、処理許可を示している。
【０１１６】
携帯端末装置４２１−ｉは、認証結果及び処理許可情報を受信し（ステップ１９０２）、処理可能であるか否かをチェックする（ステップ１９０３）。認証結果が認証成功を示しており、かつ、処理許可情報が処理許可を示している場合、処理可能と判定される。認証結果が認証失敗を示しているか、又は処理許可情報が処理禁止を示している場合、処理不可能と判定される。処理不可能である場合（ステップ１９０３，ＮＯ）、携帯端末装置４２１−ｉは、ステップ１９０１以降の処理を繰り返す。
【０１１７】
処理可能である場合（ステップ１９０３，ＹＥＳ）、携帯端末装置４２１−ｉは、投票対象競技の業種を示す業種選択情報を投票制御装置４１３へ送信し、投票制御装置４１３に対してレース情報を要求する（ステップ１９０４）。
【０１１８】
通信制御部５１３は、受信した業種選択情報に基づいて投票対象競技を特定し、投票対象競技の投票管理装置を選択する（ステップ１９２５）。そして、通信制御部５１３は、選択した投票管理装置に対してレース情報を要求する（ステップ１９２６）。
【０１１９】
通信部５１２は、投票管理装置からレース情報を受信し、端末管理部５１６は、受信したレース情報を運用情報５２３に記録する。そして、通信部５１７は、そのレース情報を携帯端末装置４２１−ｉへ送信する（ステップ１９２７）。
【０１２０】
携帯端末装置４２１−ｉは、レース情報を受信し（ステップ１９０５）、投票の有効期間を超過しているか否かをチェックする（ステップ１９０６）。有効期間を超過している場合（ステップ１９０６，ＹＥＳ）、携帯端末装置４２１−ｉは、ステップ１９０４以降の処理を繰り返す。
【０１２１】
一方、有効期間を超過していない場合（ステップ１９０６，ＮＯ）、携帯端末装置４２１−ｉは、投票対象競技に対する投票情報を投票制御装置４１３へ送信する（ステップ１９０７）。例えば、投票情報としては、図１４（ａ）及び図１５（ａ）に示した投票電文が用いられる。
【０１２２】
通信部５１７は、投票情報を受信し（ステップ１９２８）、口座管理部５１５は、口座情報５２２を参照して（ステップ１９２９）、口座残高が足りているか否かをチェックする（ステップ１９３０）。投票情報に含まれる賭け金の金額が口座残高以下である場合、口座残高が足りていると判定され、賭け金の金額が口座残高を超えている場合、口座残高が足りないと判定される。
【０１２３】
口座残高が足りない場合（ステップ１９３０，ＮＯ）、通信部５１７は、投票可否を携帯端末装置４２１−ｉへ送信し（ステップ１９３９）、投票制御装置４１３は、ステップ１９２５以降の処理を繰り返す。この場合、投票可否は、投票禁止を示している。
【０１２４】
一方、口座残高が足りている場合（ステップ１９３０，ＹＥＳ）、通信部５１７は、投票可否を携帯端末装置４２１−ｉへ送信する（ステップ１９３１）。この場合、投票可否は、投票許可を示している。
【０１２５】
携帯端末装置４２１−ｉは、投票可否を受信し（ステップ１９０８）、投票可能であるか否かをチェックする（ステップ１９０９）。投票可否が投票許可を示している場合、投票可能と判定され、投票可否が投票禁止を示している場合、投票不可能と判定される。投票不可能である場合（ステップ１９０９，ＮＯ）、携帯端末装置４２１−ｉは、ステップ１９０４以降の処理を繰り返す。
【０１２６】
一方、投票可能である場合（ステップ１９０９，ＹＥＳ）、携帯端末装置４２１−ｉは、投票制御装置４１３に対して投票を指示する（ステップ１９１０）。
【０１２７】
通信制御部５１３は、ステップ１９２８で受信した投票情報に含まれる競技識別情報に基づいて、投票対象競技を特定し、受信した投票情報を変換して、投票対象競技の投票管理装置に対する投票情報を生成する（ステップ１９３２）。例えば、投票管理装置に対する投票情報としては、図１４（ｂ）及び図１５（ｂ）に示した投票電文が用いられる。
【０１２８】
次に、通信部５１２は、投票対象競技の投票管理装置へ投票情報を送信し（ステップ１９３３）、口座管理部５１５は、口座情報５２２を更新する（ステップ１９３４）。
【０１２９】
このとき、口座管理部５１５は、口座情報５２２に投票のエントリを生成し、そのエントリの取引履歴として、投票を記録し、出金金額として、ステップ１９２８で受信した投票情報に含まれる賭け金の金額を記録する。そして、口座管理部５１５は、賭け金の金額を口座残高から減算することで、口座残高を更新する。
【０１３０】
また、口座管理部５１５は、受信した投票情報に含まれる場名の記号及び賭け式コードを、場名及び賭け式種別にそれぞれ変換して、投票のエントリに記録する。さらに、口座管理部５１５は、受信した投票情報に含まれるレース番号、賭け目、及び賭け金の金額を、投票のエントリに追加する。これにより、投票の取引と投票券の情報とを関連付けて管理することができる。会員管理部５１４は、会員情報５２１において、投票者の会員番号を含むエントリの未清算額として、更新後の口座残高を記録する。
【０１３１】
次に、通信部５１２は、投票管理装置から投票結果を受信し、通信部５１７は、投票結果を携帯端末装置４２１−ｉへ送信する（ステップ１９３５）。
【０１３２】
携帯端末装置４２１−ｉは、投票結果を受信し（ステップ１９１１）、投票を継続するか否かをチェックする（ステップ１９１２）。投票者から次の投票を行う指示が入力された場合、投票を継続すると判定され、投票者から投票を終了する指示が入力された場合、投票を継続しないと判定される。
【０１３３】
投票を継続する場合（ステップ１９１２，ＹＥＳ）、携帯端末装置４２１−ｉは、投票継続有無を投票制御装置４１３へ送信し（ステップ１９１４）、ステップ１９０４以降の処理を繰り返す。この場合、投票継続有無は、投票を継続することを示している。
【０１３４】
一方、投票を継続しない場合（ステップ１９１２，ＮＯ）、携帯端末装置４２１−ｉは、投票継続有無を投票制御装置４１３へ送信する（ステップ１９１３）。この場合、投票継続有無は、投票を継続しないことを示している。
【０１３５】
通信部５１７は、投票継続有無を受信し（ステップ１９３６）、通信制御部５１３は、受信した投票継続有無に基づいて、投票を継続するか否かを判定する（ステップ１９３７）。投票を継続する場合（ステップ１９３７，ＹＥＳ）、投票制御装置４１３は、ステップ１９２５以降の処理を繰り返す。
【０１３６】
一方、投票を継続しない場合（ステップ１９３７，ＮＯ）、投票制御装置４１３は、処理を終了する。
【０１３７】
図２０は、図１６のステップ１６１４における的中処理の例を示すフローチャートである。まず、通信部５１２は、投票対象競技の投票管理装置から競技結果情報を受信する（ステップ２００１）。
【０１３８】
口座管理部５１５は、口座情報５２２を参照して（ステップ２００２）、いずれかの投票者の投票で指定された賭け式が、競技結果情報が示す競技の結果に的中しているか否かをチェックする（ステップ２００３）。
【０１３９】
いずれかの投票が競技の結果に的中している場合（ステップ２００３，ＹＥＳ）、口座管理部５１５は、的中した投票券の払戻金額を計算し（ステップ２００４）、口座情報５２２を更新する（ステップ２００５）。
【０１４０】
このとき、口座管理部５１５は、口座情報５２２に払戻（的中）のエントリを生成し、そのエントリの取引履歴として、払戻（的中）を記録し、入金金額として、払戻金額を記録する。そして、口座管理部５１５は、払戻金額を口座残高に加算することで、口座残高を更新する。
【０１４１】
また、口座管理部５１５は、的中した投票の場名、レース番号、賭け式種別、賭け目、及び払戻金額を、払戻（的中）のエントリに追加する。これにより、払戻しの取引と的中した投票券の情報とを関連付けて管理することができる。会員管理部５１４は、会員情報５２１において、投票者の会員番号を含むエントリの未清算額として、更新後の口座残高を記録する。
【０１４２】
次に、通信部５１７は、競技結果情報及び払戻金額を、的中した投票者の携帯端末装置４２１−ｉへ送信し、他の投票者の携帯端末装置４２１−ｉへ競技結果情報のみを送信する（ステップ２００６）。
【０１４３】
一方、いずれの投票も競技の結果に的中していない場合（ステップ２００３，ＮＯ）、通信部５１７は、すべての投票者の携帯端末装置４２１−ｉへ競技結果情報のみを送信する（ステップ２００６）。
【０１４４】
図２１は、図１６のステップ１６１５における清算処理の例を示すフローチャートである。清算処理では、入出金装置４１４がステップ２１０１〜ステップ２１０７の処理を行い、投票制御装置４１３がステップ２１１１〜ステップ２１１９の処理を行う。
【０１４５】
まず、入出金装置４１４は、図１７のステップ１７０１〜ステップ１７０４と同様の個人認証処理を行い（ステップ２１０１）、投票者の認証情報を投票制御装置４１３へ送信する（ステップ２１０２）。
【０１４６】
通信部５１２は、認証情報を受信し（ステップ２１１１）、会員管理部５１４は、会員情報５２１を参照して、投票者に対する認証を行う（ステップ２１１２）。そして、口座管理部５１５は、口座情報５２２及び運用情報５２３を参照して、投票者の会員番号に対応するすべての投票のレース結果が確定しているか否かをチェックする（ステップ２１１３）。いずれかの投票のレース結果が確定していない場合（ステップ２１１３，ＮＯ）、通信部５１２は、認証結果及び清算許可情報を入出金装置４１４へ送信する（ステップ２１１９）。この場合、清算許可情報は、清算禁止を示している。
【０１４７】
一方、すべての投票のレース結果が確定している場合（ステップ２１１３，ＹＥＳ）、通信部５１２は、認証結果及び清算許可情報を入出金装置４１４へ送信する（ステップ２１１４）。この場合、清算許可情報は、清算許可を示している。
【０１４８】
次に、口座管理部５１５は、口座情報５２２を参照して（ステップ２１１５）、投票者の会員番号を含むエントリの口座残高を取得し、通信部５１２は、口座残高を示す出金金額を入出金装置４１４へ送信する（ステップ２１１６）。
【０１４９】
入出金装置４１４は、認証結果及び清算許可情報を受信し（ステップ２１０３）、清算可能であるか否かを判定する（ステップ２１０４）。認証結果が認証成功を示しており、かつ、清算許可情報が清算許可を示している場合、清算可能と判定される。認証結果が認証失敗を示しているか、又は清算許可情報が清算禁止を示している場合、清算不可能と判定される。清算不可能である場合（ステップ２１０４，ＮＯ）、入出金装置４１４は、処理を終了する。
【０１５０】
一方、清算可能である場合（ステップ２１０４，ＹＥＳ）、入出金装置４１４は、出金金額を受信し（ステップ２１０５）、出金処理を行って、排出口から出金金額の現金を排出する（ステップ２１０６）。そして、入出金装置４１４は、出金処理結果を投票制御装置４１３へ送信する（ステップ２１０７）。
【０１５１】
通信部５１２は、出金処理結果を受信し（ステップ２１１７）、口座管理部５１５は、口座情報５２２を更新する（ステップ２１１８）。このとき、口座管理部５１５は、口座情報５２２に清算のエントリを生成し、そのエントリの取引履歴として、清算を記録し、出金金額として、ステップ２１１６で送信された出金金額を記録する。そして、口座管理部５１５は、口座残高から出金金額を減算することで、口座残高を０に変更する。会員管理部５１４は、会員情報５２１において、投票者の会員番号を含むエントリから、未清算フラグ“○”及び未清算額を削除する。
【０１５２】
図２２は、図１６のステップ１６１６における口座終了処理の例を示すフローチャートである。まず、入出金装置４１４は、図１７のステップ１７０１〜ステップ１７０４と同様の個人認証処理を行い（ステップ２２０１）、投票者の認証情報を含む口座終了要求を投票制御装置４１３へ送信する。通信部５１２は、口座終了要求を受信し、会員管理部５１４は、会員情報５２１を参照して、投票者に対する認証を行う。
【０１５３】
次に、会員管理部５１４は、投票者の会員番号に対応する口座が清算済みであるか否かをチェックする（ステップ２２０２）。会員情報５２１において、投票者の会員番号を含むエントリに未清算フラグ“○”が記録されていない場合、口座が清算済みであると判定され、未清算フラグ“○”が記録されている場合、口座が清算済みではないと判定される。
【０１５４】
口座が清算済みである場合（ステップ２２０２，ＹＥＳ）、口座管理部５１５は、口座を閉鎖する（ステップ２２０３）。このとき、口座管理部５１５は、口座情報５２２に口座終了のエントリを生成し、そのエントリの取引履歴として、口座終了を記録する。そして、会員管理部５１４は、会員情報５２１において、投票者の会員番号を含むエントリから、口座番号を削除する。
【０１５５】
一方、口座が清算済みではない場合（ステップ２２０２，ＮＯ）、口座管理部５１５は、口座を閉鎖することなく、処理を終了する。
【０１５６】
図２の投票制御装置２０１及び図５の投票制御装置４１３の構成は一例に過ぎず、投票制御装置の用途又は条件に応じて一部の構成要素を省略又は変更してもよい。例えば、図５の投票制御装置４１３において、外部の装置が運用情報５２３を管理する場合は、端末管理部５１６を省略することができる。
【０１５７】
図４の投票制御システムの構成は一例に過ぎず、投票制御システムの用途又は条件に応じて一部の構成要素を省略又は変更してもよい。例えば、発売所に訪れるすべての投票者が投票制御装置４１３を利用して投票を行う場合は、投票端末装置４１２を省略することができる。発売所に複数の投票制御装置４１３が設置される場合は、それらの投票制御装置４１３がＬＡＮ４１１に接続される。入出金装置４１４は、ＬＡＮ４１１に接続される代わりに、投票制御装置４１３に直接接続されていてもよい。
【０１５８】
図３及び図１６〜図２２のフローチャートは一例に過ぎず、投票制御システムの構成又は条件に応じて一部の処理を省略又は変更してもよい。例えば、図１９の投票処理において、投票制御装置４１３の外部の装置が携帯端末装置４２１−ｉにレース情報を提供する場合は、ステップ１９０４〜ステップ１９０６及びステップ１９２５〜ステップ１９２７の処理を省略することができる。
【０１５９】
図６の会員情報５２１、図７の口座情報５２２、及び図８の集計表は一例に過ぎず、投票制御システムの構成又は条件に応じて一部の項目を省略又は変更してもよい。会員情報５２１、口座情報５２２、及び集計表のデータは、投票対象競技の業種及び各投票者が行う取引に応じて変化する。
【０１６０】
図９〜図１２に示した選択画面は一例に過ぎず、投票制御システムの構成又は条件に応じて一部の項目を省略又は変更してもよい。選択画面のメニューは、投票対象競技の業種に応じて変化する。
【０１６１】
図１３の賭け式コードは一例に過ぎず、投票制御システムの構成又は条件に応じて別の賭け式コードを用いてもよい。図１４及び図１５の投票情報は一例に過ぎず、投票制御システムの構成又は条件に応じて一部の項目を省略又は変更してもよい。投票情報のデータは、投票対象競技の業種及び各投票者が行う投票の内容に応じて変化する。
【０１６２】
図２３は、図２の投票制御装置２０１及び図５の投票制御装置４１３として用いられる情報処理装置（コンピュータ）の構成例を示している。図２３の情報処理装置は、ＣＰＵ（Central Processing Unit）２３０１、メモリ２３０２、入力装置２３０３、出力装置２３０４、補助記憶装置２３０５、媒体駆動装置２３０６、ネットワーク接続装置２３０７、及び無線通信装置２３０８を含む。これらの構成要素はバス２３０９により互いに接続されている。
【０１６３】
メモリ２３０２は、例えば、ＲＯＭ（Read Only Memory）、ＲＡＭ（Random Access Memory）、フラッシュメモリ等の半導体メモリであり、処理に用いられるプログラム及びデータを格納する。メモリ２３０２は、図２の記憶部２１１又は図５の記憶部５１１として用いることができる。
【０１６４】
ＣＰＵ２３０１（プロセッサ）は、例えば、メモリ２３０２を利用してプログラムを実行することにより、図２の特定部２１４及び更新部２１５として動作する。ＣＰＵ２３０１は、メモリ２３０２を利用してプログラムを実行することにより、図５の通信制御部５１３、会員管理部５１４、口座管理部５１５、及び端末管理部５１６としても動作する。
【０１６５】
入力装置２３０３は、例えば、キーボード、ポインティングデバイス等であり、オペレータ又はユーザからの指示又は情報の入力に用いられる。出力装置２３０４は、例えば、表示装置、プリンタ、スピーカ等であり、オペレータ又はユーザへの問い合わせ又は指示、及び処理結果の出力に用いられる。処理結果は、図８に示した集計表であってもよい。
【０１６６】
補助記憶装置２３０５は、例えば、磁気ディスク装置、光ディスク装置、光磁気ディスク装置、テープ装置等である。補助記憶装置２３０５は、ハードディスクドライブであってもよい。情報処理装置は、補助記憶装置２３０５にプログラム及びデータを格納しておき、それらをメモリ２３０２にロードして使用することができる。補助記憶装置２３０５は、図２の記憶部２１１又は図５の記憶部５１１として用いることができる。
【０１６７】
媒体駆動装置２３０６は、可搬型記録媒体２３１０を駆動し、その記録内容にアクセスする。可搬型記録媒体２３１０は、メモリデバイス、フレキシブルディスク、光ディスク、光磁気ディスク等である。可搬型記録媒体２３１０は、ＣＤ−ＲＯＭ（Compact Disk Read Only Memory）、ＤＶＤ（Digital Versatile Disk）、ＵＳＢ（Universal Serial Bus）メモリ等であってもよい。オペレータ又はユーザは、この可搬型記録媒体２３１０にプログラム及びデータを格納しておき、それらをメモリ２３０２にロードして使用することができる。
【０１６８】
このように、処理に用いられるプログラム及びデータを格納するコンピュータ読み取り可能な記録媒体は、メモリ２３０２、補助記憶装置２３０５、又は可搬型記録媒体２３１０のような、物理的な（非一時的な）記録媒体である。
【０１６９】
ネットワーク接続装置２３０７は、ＬＡＮ４１１等の通信ネットワークに接続され、通信に伴うデータ変換を行う通信インタフェース回路である。情報処理装置は、プログラム及びデータを外部の装置からネットワーク接続装置２３０７を介して受信し、それらをメモリ２３０２にロードして使用することができる。ネットワーク接続装置２３０７は、図２の第２通信部２１３又は図５の通信部５１２として用いることができる。
【０１７０】
無線通信装置２３０８は、無線通信に伴うデータ変換を行う通信インタフェース回路である。無線通信装置２３０８は、図２の第１通信部２１２又は図５の通信部５１７として用いることができる。
【０１７１】
なお、情報処理装置が図２３のすべての構成要素を含む必要はなく、用途又は条件に応じて一部の構成要素を省略することも可能である。例えば、情報処理装置がオペレータ又はユーザとの対話を行わない場合は、入力装置２３０３及び出力装置２３０４を省略してもよい。可搬型記録媒体２３１０を使用しない場合は、媒体駆動装置２３０６を省略してもよい。
【０１７２】
図２３の情報処理装置は、図４の投票管理装置４０１及び投票管理装置４０２としても用いることができる。
【０１７３】
開示の実施形態とその利点について詳しく説明したが、当業者は、特許請求の範囲に明確に記載した本発明の範囲から逸脱することなく、様々な変更、追加、省略をすることができるであろう。
【符号の説明】
【０１７４】
１０１〜１０３  サーバ
１０４〜１０６、４０３、４０４  ＷＡＮ
１０７、１０８  投票所
１１１、１２１、４１１  ＬＡＮ
１１２、１２２  キャッシュレス端末装置
１１３、１２３  自動端末装置
１１４、１２４  有人端末装置
１３１、４２１−１〜４２１−Ｎ  携帯端末装置
２０１、４１３  投票制御装置
２１１、５１１  記憶部
２１２  第１通信部
２１３  第２通信部
２１４  特定部
２１５  更新部
４０１、４０２  投票管理装置
４１２  投票端末装置
４１４  入出金装置
５１２、５１７  通信部
５１３  通信制御部
５１４  会員管理部
５１５  口座管理部
５１６  端末管理部
５２１  会員情報
５２２  口座情報
５２３  運用情報
２３０１  ＣＰＵ
２３０２  メモリ
２３０３  入力装置
２３０４  出力装置
２３０５  補助記憶装置
２３０６  媒体駆動装置
２３０７  ネットワーク接続装置
２３０８  無線通信装置
２３０９  バス
２３１０  可搬型記録媒体
【図１】
2020035211.tif 000003
【図２】
2020035211.tif 000004
【図３】
2020035211.tif 000005
【図４】
2020035211.tif 000006
【図５】
2020035211.tif 000007
【図６】
2020035211.tif 000008
【図７】
2020035211.tif 000009
【図８】
2020035211.tif 000010
【図９】
2020035211.tif 000011
【図１０】
2020035211.tif 000012
【図１１】
2020035211.tif 000013
【図１２】
2020035211.tif 000014
【図１３】
2020035211.tif 000015
【図１４】
2020035211.tif 000016
【図１５】
2020035211.tif 000017
【図１６】
2020035211.tif 000018
【図１７】
2020035211.tif 000019
【図１８】
2020035211.tif 000020
【図１９】
2020035211.tif 000021
【図２０】
2020035211.tif 000022
【図２１】
2020035211.tif 000023
【図２２】
2020035211.tif 000024
【図２３】
2020035211.tif 000025